(57)【要約】【課題】  複数の電子機器をディスプレイに取り付けるためのホルダを提供すること。【解決手段】  実施形態によれば、第１電子機器と第２電子機器をディスプレイに取り付けるためのホルダは、前記ディスプレイに設けられた雌ねじ群に螺合される雄ねじ群のためのねじ通し孔群を有する基板と、前記基板の第１部分に形成され、前記第１電子機器に設けられた第１雌ねじに螺合される第１雄ねじのための第１ねじ通し孔を有し、前記第２電子機器を保持するための第１保持部と、前記基板の第２部分に形成され、前記第１電子機器に設けられた第１雌ねじに螺合される第２雄ねじのための第２ねじ通し孔を有し、前記第２電子機器を保持するための第２保持部と、を具備する。【選択図】  図１
2019109667.tif 000002
【特許請求の範囲】
【請求項１】
第１電子機器と第２電子機器をディスプレイに取り付けるためのホルダであって、
前記ディスプレイに設けられた雌ねじ群に螺合される雄ねじ群のためのねじ通し孔群を有する基板と、
前記基板の第１部分に形成され、前記第１電子機器に設けられた第１雌ねじに螺合される第１雄ねじのための第１ねじ通し孔を有し、前記第２電子機器を保持するための第１保持部と、
前記基板の第２部分に形成され、前記第１電子機器に設けられた第２雌ねじに螺合される第２雄ねじのための第２ねじ通し孔を有し、前記第２電子機器を保持するための第２保持部と、
を具備するホルダ。
【請求項２】
前記第１保持部は、
前記基板から延びる一対の腕部と、
前記一対の腕部を連結し、前記基板とほぼ平行な連結板と、を具備し、
前記第２電子機器は前記基板、前記一対の腕部及び前記連結板により形成される挿入口を通して前記ホルダに挿入され、
前記第２電子機器は前記挿入口を通して前記ホルダから引き抜かれ、
前記第２保持部は、
前記基板から延びる底板と、
前記底板から延び前記基板とほぼ平行な前板と、を具備し、
前記第１ねじ通し孔は前記連結板に形成され、
前記第２ねじ通し孔は前記前板に形成される請求項１記載のホルダ。
【請求項３】
前記基板、前記一対の腕部、前記連結板、前記底板及び前記前板は一体形成される請求項２記載のホルダ。
【請求項４】
前記ディスプレイには第１サイズのＶＥＳＡ(Video Electronics Standards Association)規格マウントに従った第１雌ねじ群及び／又は第２サイズのＶＥＳＡ規格マウントに従った第２雌ねじ群が形成され、
前記基板には前記第１雌ねじ群のための第１ねじ通し孔群及び／又は前記第２雌ねじ群のための第２ねじ通し孔群が形成される請求項１記載のホルダ。
【請求項５】
前記ねじ通し孔群は前記基板の四隅に形成される４個のねじ通し孔からなる請求項１記載のホルダ。
【請求項６】
第１電子機器と第２電子機器をディスプレイに取り付けるためのホルダであって、
前記ディスプレイに設けられた雌ねじ群に螺合される雄ねじ群のためのねじ通し孔群を有し、前記第１電子機器を収納するための第１ホルダ部と、
前記第１ホルダ部に取り付けられ、前記第２電子機器を収納するための第２ホルダ部と、
を具備するホルダ。
【請求項７】
前記第１ホルダ部、第２ホルダ部は、それぞれ第１係合部、第２係合部を具備し、
前記第１係合部と前記第２係合部は着脱可能に係合する請求項６記載のホルダ。
【請求項８】
前記第１ホルダ部は、
前記ねじ通し孔群を有する基板と、
前記基板の第１部分に形成され、前記第１電子機器を保持するための第１保持部と、
前記基板の第２部分に形成され、前記第１電子機器を保持するための第２保持部と、をさらに具備し、
前記第１保持部は、
前記基板から延びる一対の腕部と、
前記一対の腕部を連結し、前記基板とほぼ平行な連結板と、を具備し、
前記第１電子機器は前記基板、前記一対の腕部及び前記連結板により形成される挿入口を通して前記ホルダに挿入され、
前記第１電子機器は前記挿入口を通して前記ホルダから引き抜かれ、
前記第２保持部は、
前記基板から延びる第１底板と、
前記第１底板から延び前記基板とほぼ平行な前板と、を具備し、
前記前板は前記第１係合部を備える請求項７記載のホルダ。
【請求項９】
前記基板、前記一対の腕部、前記連結板、前記第１底板及び前記前板は一体形成される請求項８記載のホルダ。
【請求項１０】
前記第２ホルダ部は、
保持板と、
前記第２電子機器の両側面を保持する一対の支持腕と、
前記第２電子機器の底面を支える第２底板と、を具備し、
前記保持板は、
前記第２係合部と、
前記第１ホルダ部の前記連結板に係合される係合片と、を具備する請求項８記載のホルダ。
【請求項１１】
前記保持板、前記一対の支持腕及び前記第２底板は一体形成される請求項１０記載のホルダ。
【請求項１２】
前記ねじ通し孔群は前記基板の四隅に形成される４個のねじ通し孔からなる請求項８記載のホルダ。
【請求項１３】
前記ディスプレイには第１サイズのＶＥＳＡ(Video Electronics Standards Association)規格マウントに従った第１雌ねじ群及び／又は第２サイズのＶＥＳＡ規格マウントに従った第２雌ねじ群が形成され、
前記基板には前記第１雌ねじ群のための第１ねじ通し孔群及び／又は前記第２雌ねじ群のための第２ねじ通し孔群が形成される請求項８記載のホルダ。
【発明の詳細な説明】
【技術分野】
【０００１】
本発明の実施形態は、電子機器をディスプレイに取り付けるためのホルダに関する。
【背景技術】
【０００２】
小型の電子機器、例えばパーソナルコンピュータ(以下、ＰＣと称する)をディスプレイに取り付けて使用する場合がある。ディスプレイの背面には例えばスタンド又は支柱を取り付けるためのマウントが設けられている。ＰＣを直にディスプレイに取り付けることは困難であるので、ＰＣが取り付け可能又はＰＣを収納可能なホルダをマウントに取り付けることがある。一般に、小型のＰＣは外部機器との接続のためのインターフェースポートの種類が少ないため、インターフェースの種類を拡張するためのポート拡張アダプタを小型ＰＣに接続して使用することがあるが、これらをまとめてディスプレイに装着する有用な手段がない。
【先行技術文献】
【特許文献】
【０００３】
【特許文献１】特開２００７−１０２７４６号公報
【特許文献２】特開２０１０−２１８５２５号公報
【特許文献３】特開２００４−２５８９３４号公報
【発明の概要】
【発明が解決しようとする課題】
【０００４】
ＰＣ等の電子機器をディスプレイに取り付けるための従来のホルダは、前記小型ＰＣ等の電子機器に加え、この小型ＰＣの使用に必要なポート拡張アダプタ等の他の電子機器も併せてディスプレイに取り付けることはできない。
【０００５】
本発明の目的は、複数の電子機器をディスプレイに取り付けるためのホルダを提供することである。
【課題を解決するための手段】
【０００６】
実施形態によれば、第１電子機器と第２電子機器をディスプレイに取り付けるためのホルダは、
前記ディスプレイに設けられた雌ねじ群に螺合される雄ねじ群のためのねじ通し孔群を有する基板と、
前記基板の第１部分に形成され、前記第１電子機器に設けられた第１雌ねじに螺合される第１雄ねじのための第１ねじ通し孔を有し、前記第２電子機器を保持するための第１保持部と、
前記基板の第２部分に形成され、前記第１電子機器に設けられた第１雌ねじに螺合される第２雄ねじのための第２ねじ通し孔を有し、前記第２電子機器を保持するための第２保持部と、
を具備する。
【図面の簡単な説明】
【０００７】
【図１】第１実施形態のホルダを用いてモバイルＰＣとアダプタをディスプレイに取り付ける態様の一例を示す分解斜視図である。
【図２】ホルダの一例を示す正面図である。
【図３】ホルダの一例を示す側面図である。
【図４】第１実施形態のホルダを用いてモバイルＰＣとアダプタがディスプレイに取り付けられた状態の一例を示す斜視図である。
【図５】第２実施形態のホルダを用いてモバイルＰＣとアダプタをディスプレイに取り付ける態様の一例を示す分解斜視図である。
【図６】モバイルＰＣが取り付けられる第１ホルダ部の一例をディスプレイ側から見た背面図である。
【図７】第１ホルダ部の一例の側面図である。
【図８】第１ホルダ部が第２ホルダ部に取り付けられた状態の一例をディスプレイ側から見た斜視図である。
【図９】第２実施形態のホルダを用いてモバイルＰＣとアダプタがディスプレイに取り付けられた状態の一例を示す斜視図である。
【図１０】応用例の一例として実施形態のホルダをリセスタイプのＶＥＳＡマウントを有するディスプレイに取り付ける態様の一例を示す分解斜視図である。
【発明を実施するための形態】
【０００８】
以下、実施形態について図面を用いて説明する。なお、開示はあくまで一例にすぎず、以下の実施形態に記載した内容により発明が限定されるものではない。当業者が容易に想到し得る変形は、当然に開示の範囲に含まれる。説明をより明確にするため、図面において、各部分のサイズ、形状等を実際の実施態様に対して変更して模式的に表す場合もある。複数の図面において、対応する要素には同じ参照数字を付して、詳細な説明を省略する場合もある。
【０００９】
本発明の実施形態によるホルダを用いてディスプレイに取り付けられる電子機器の一例は小型で携帯可能なモバイルＰＣを含む。モバイルＰＣは小型化及び携帯性の向上のため及び／又はユーザの使い方の自由度を高めるために、ディスプレイやハードウェアキーボードを備えないものがある。例えば、モバイルＰＣをウェアラブル機器とともに使用する又はモバイルＰＣをウェアラブル機器として使用する場合、ハードウェアキーボードは不要である。モバイルＰＣをメガネ型ウェアラブル端末と接続して使用する場合、ディスプレイは不要である。このようなモバイルＰＣにハードウェアキーボード、ディスプレイを接続してモバイルＰＣをデスクトップ型ＰＣとして使用する場合もある。この場合、モバイルＰＣをディスプレイの背面に取り付けると、省スペースのデスクトップ型ＰＣが実現される。なお、ハードウェアキーボードに限らず、ディスプレイの画面に表示されるソフトウェアキーボードを使用してもよい。
【００１０】
モバイルＰＣは小型化の要求等により外部接続のためのインターフェースが限られており、例えば、ＵＳＢｔｙｐｅ−Ｃ（登録商標）コネクタは備えるが、ＨＤＭＩ（登録商標）コネクタは備えないものがある。この場合、ＨＤＭＩコネクタや有線ＬＡＮコネクタ等を備えるポート拡張アダプタをモバイルＰＣのＵＳＢｔｙｐｅ−Ｃコネクタに接続し、モバイルＰＣからＵＳＢｔｙｐｅ−Ｃケーブルを介して映像信号をポート拡張アダプタに伝送し、ポート拡張アダプタのＨＤＭＩコネクタから映像信号をディスプレイに伝送することができる。このように、モバイルＰＣのみならずポート拡張アダプタもディスプレイの背面に取り付けると、さらに省スペースで操作性のよいデスクトップ型ＰＣが実現される。
【００１１】
電子機器は小型のモバイルＰＣに限られないが、ここでは一例としてモバイルＰＣとポート拡張アダプタをディスプレイに取り付けるためのホルダの実施形態を説明する。
【００１２】
（第１実施形態）  
図１〜図４を参照して第１実施形態のホルダを説明する。図１は第１実施形態のホルダを用いてモバイルＰＣとアダプタをディスプレイに取り付ける態様の一例を示す分解斜視図である。図２はホルダの一例の正面を示す図である。図３はホルダの一例を示す側面図である。図４はホルダを用いてモバイルＰＣとアダプタがディスプレイに取り付けられた状態の一例を示す斜視図である。
【００１３】
図１に示すように、モバイルＰＣ１００とポート拡張アダプタ１０２が取り付けられるホルダ１０は、ディスプレイ１２の背面１３に４本の雄ねじ１５によって固定される。ディスプレイ１２の正面１７は画像表示を行う表示面となっている。ディスプレイ１２を背面から見た場合の右方向をＸ方向とし、上方向をＹ方向とし、奥行き方向をＺ方向とする。ディスプレイ１２は、例えば液晶表示装置であるが、これに限らず有機ＥＬディスプレイ等でもよい。
【００１４】
モバイルＰＣ１００の外観は、幅が約１０ｃｍ以下、高さが約２０ｃｍ以下、厚さが２ｃｍ程度の薄い直方体形状であり、重量は約３００ｇ程度である。このため、モバイルＰＣ１００は作業着のポケット、ベルトに装着されるホルスターあるいはショルダーケースに収納することにより携帯可能である。
【００１５】
モバイルＰＣ１００はＣＰＵや半導体メモリ等の半導体チップやＳＳＤ(Solid State Disk)等のストレージデバイスを収納するが、ディスプレイとハードウェアキーボードは備えない。モバイルＰＣ１００の正面中央には指紋センサ１０８が設けられる。指紋センサ１０８はモバイルＰＣ１００のログイン時のユーザ認証のために用いられる。指紋センサ１０８とモバイルＰＣ１０の長手方向の一端との間に５ボタン１０６が設けられる。５ボタン１０６は中央に配置された決定ボタンと、その上下左右に配置された４つのボタンからなる。５ボタン１０６はハードウェアキーボードが接続されていない時にコマンド等を入力するために用いられる。なお、５ボタン１０６を数字に割り当て、パスワードを入力することにより、ログイン時のユーザ認証を行ってもよく、指紋センサ１０８は省略可能である。図示しないが、モバイルＰＣ１００の電源はＡＣアダプタから供給してもよいし、充電電池から供給してもよい。
【００１６】
図示しないが、モバイルＰＣ１００の裏面２か所に２本の雌ねじが形成され、２本の雄ねじ４０がホルダ１０を介してモバイルＰＣ１００の雌ねじに螺合されることにより、モバイルＰＣ１００はホルダ１０に固定される。このため、ホルダ１０は２本の雄ねじ４０が挿入される２個のねじ通し孔４２、４８を備える。モバイルＰＣ１００は５ボタン１０６が上となる向きでホルダ１０に取り付けられる。ホルダ１０の取り付け向きは図２、図３を参照して後述する。モバイルＰＣ１００の長手方向の一端であり、５ボタン１０６に近い端部の側面にはＵＳＢｔｙｐｅ−Ｃコネクタ１１２が設けられる。
【００１７】
詳細は図２、図３を参照して説明するが、ホルダ１０はポート拡張アダプタ１０２を収納する収納部を有し、収納部の一端は開口され、挿入口となる。ポート拡張アダプタ１０２は挿入口を介して収納部に挿入されたり、挿入口を介して収納部から引き出されたりする。ポート拡張アダプタ１０２の一端からＵＳＢｔｙｐｅ−Ｃケーブル１０４が引き出されている。ポート拡張アダプタ１０２を収納するホルダ１００はＵＳＢｔｙｐｅ−Ｃケーブル１０４が上側となるようにディスプレイに取り付けられる。図４に示すように、ＵＳＢｔｙｐｅ−Ｃケーブル１０４の先端のコネクタがモバイルＰＣ１００のＵＳＢｔｙｐｅ−Ｃコネクタ１１２と接続される。ホルダ１０に収納された状態でディスプレイ１２に取り付けられた際にディスプレイ背面から見て右側又は左側となるポート拡張アダプタ１０２の側面（図１の例では左側面）にＨＤＭＩコネクタ１１４、ＵＳＢ３．０（登録商標）コネクタ、有線ＬＡＮコネクタ等が設けられる。ＨＤＭＩコネクタ１１４はＨＤＭＩケーブル１１６を介してディスプレイ１２の背面に設けられたＨＤＭＩコネクタ１１８に接続される。
【００１８】
ディスプレイ１２の背面にはＶＥＳＡ(Video Electronics Standards Association)規格によってねじの孔径、ピッチ、耐荷重、固定面のサイズ等が定められたＶＥＳＡマウント部２９が設けられている。ＶＥＳＡの規格では、ねじの配置に関するサイズは２種類ある。雌ねじは正方形の四隅に対応した位置に形成され、正方形のサイズは１００ｍｍ×１００ｍｍの第１サイズと７５ｍｍ×７５ｍｍの第２サイズを含む。第１サイズの正方形と第２サイズの正方形は中心が同じである。ＶＥＳＡマウント部２９は１種類のサイズに対応すればよいが、２種類のサイズに対応するように２種類の雌ねじが形成されたものがある。図１は、ＶＥＳＡマウント部２９には１００ｍｍ×１００ｍｍの正方形の四隅に対応する位置に設けられた４本の雌ねじ３０と、７５ｍｍ×７５ｍｍの正方形の四隅に対応する位置に設けられた４本の雌ねじ３２が形成されている例を示す。ＶＥＳＡマウント部２９に２種類のサイズがあるので、ホルダ１０を両サイズに対応するように構成する場合、ホルダ１０にもＶＥＳＡマウント部２９の４本の雌ねじ３０に対応する４箇所にねじ通し孔２６が形成され、４本の雌ねじ３２に対応する４箇所にねじ通し孔２８が形成される。２本の雄ねじ４０によりモバイルＰＣ１００が固定されたホルダ１０は４本の雄ねじ１５によりＶＥＳＡマウント部２９に固定される。図１は雄ねじ１５を第１サイズの雌ねじ３０に螺合させる例を示すが、第２サイズの雌ねじ３２に螺合させてもよい。
【００１９】
ホルダ１０をディスプレイ１２の背面に固定した後、ホルダ１０のアダプタ収納空間にポート拡張アダプタ１０２を図１の矢印に示すように上方から差し入れる。これにより、ホルダ１０を用いてモバイルＰＣ１００とポート拡張アダプタ１０２がディスプレイ１２に取り付けられる。しかも、ポート拡張アダプタ１０２は着脱自在に取り付けられる。
【００２０】
ホルダ１０の詳細を、図２、図３を参照して説明する。ホルダ１０は、樹脂等により一体として形成された基板１４と上部保持部１６と下部保持部１８とからなる。基板１４と上部保持部１６と下部保持部１８で囲まれた空間がポート拡張アダプタ１０２を収納する収納部である。上部保持部１６は開放部を形成し、開放部を通してポート拡張アダプタ１０２が収納部に挿入されたり、収納部から引き出されたりする。ホルダ１０又は基板１４のディスプレイ１２側の面を裏面、その逆側の面を正面又は前面と称する。
【００２１】
基板１４はおおむね平板状であり、基板１４の上下左右の四隅に先端が半円形に形成された舌片２０を有している。基板１４の上縁２２は上部の左右両側の舌片２０の上端と同一の高さに設定され、下縁２４は下部の左右両側の舌片２０の下端と直線状に連続している。
【００２２】
基板１４の各舌片２０には、ＶＥＳＡマウント部２９の４本の雌ねじ３０又は３２に螺合される４本の雄ねじ１５を通すための４個のねじ通し孔２６又は２８が設けられている。基板１４の４個のねじ通し孔２６はＶＥＳＡ規格の第１サイズに従って配置され、４個のねじ通し孔２８はＶＥＳＡ規格の第２サイズに従って配置されている。具体的には、基板１４の４か所の各舌片２０に設けられた４個のねじ通し孔２６は１００ｍｍ×１００ｍｍの正方形の四隅に配置され、４個のねじ通し孔２８は７５ｍｍ×７５ｍｍの正方形の四隅に配置されている。
【００２３】
図２に示すように、基板の左右方向の中央部（基板中央部）１９の上下方向の略中央には、基板１４からわずかに突出した２つのガイド板（突起）３４が離間して設けられている。２つのガイド板３４は、ポート拡張アダプタ１０２の横幅に対応した間隔で設けられ、ポート拡張アダプタ１０２を左右で保持するとともにポート拡張アダプタ１０２の着脱をスムーズに行うために設けられる。
【００２４】
前記上部保持部１６は、基板１４の上部の左右両側から前方に突出した一対の腕部３６と、左右の腕部３６を連結する平板状の連結板３８とを備えている。腕部３６は基板１４に対してほぼ垂直であり、連結板３８は基板１４とほぼ平行である。椀部３６と連結板３８は一体形成される。図１に矢印で示すように、ポート拡張アダプタ１０２は、基板１４、腕部３６、及び連結板３８により形成される挿入口を通してホルダ１０に挿入したり、ホルダ１０から引き抜いたりできるようになっている。挿入口のサイズはポート拡張アダプタ１０２の断面サイズに対して多少余裕を持ったサイズとする。上部保持部１６の連結板３８には、モバイルＰＣ１００に設けられた雌ねじに螺合される雄ねじ４０を通すためのねじ通し孔４２が設けられている。
【００２５】
前記下部保持部１８は、基板１４の下部から前方に突出した底板４４と、底板４４から立ち上がり、基板１４の上方に基板１４面に対してほぼ平行に延在する前板４６とを備えている。基板１４、底板４４、及び前板４６によりポート拡張アダプタ１０２を縦に収納するための収納部が形成される。上部保持部１６の挿入口を通して挿入されたポート拡張アダプタ１０２の下端は底板４４で受け止められる。
【００２６】
前板４６の上部には、モバイルＰＣ１００に設けられた雌ねじに螺合される雄ねじ４０（図１参照）を通すためのねじ通し孔４８が設けられている。ねじ通し孔４８はねじ部４９の中心に設けられている。連結板３８に設けられたねじ通し孔４２と前板４６に設けられたねじ通し孔４８の間隔はモバイルＰＣ１００に設けられた雌ねじの間隔に等しい。
【００２７】
なお、前板４６には係合片４７も形成されているが、これは第２実施形態において用いられるものであり、本第１実施形態では使用しないため、ここでの説明は省略する。
【００２８】
次に、第１実施形態のホルダ１０を用いてモバイルＰＣ１００とポート拡張アダプタ１０２をディスプレイ１２に取り付ける手順の一例について説明する。先ず、ホルダ１０の連結板３８と前板４６に設けられているねじ通し孔４２、４８に２本の雄ねじ４０を通し、２本の雄ねじ４０をモバイルＰＣ１００に設けられている２本の雌ねじに螺合させる。これにより、モバイルＰＣ１００がホルダ１０に固定される。
【００２９】
モバイルＰＣ１００がホルダ１０に固定されたら、ホルダ１０の舌片２０に設けられているねじ通し孔２６又は２８に４本の雄ねじ１５を通し、４本の雄ねじ１５をディスプレイ１２に設けられているＶＥＳＡマウント部２９の４本の雌ねじ３０又３２に螺合させる。図１は、第１サイズの雌ねじ３０に螺合させる例を示すが、第２サイズの雌ねじ３２に螺合させてもよい。
【００３０】
これにより、ホルダ１０がディスプレイ１２に固定されるとともに、ホルダ１０を介してモバイルＰＣ１００がディスプレイ１２の裏面１３に固定される。そして、ディスプレイ１２に固定されたホルダ１０の上部保持部１６の開放部を介してポート拡張アダプタ１０２を基板１４と上部保持部１６と下部保持部１８で囲まれた収納部に挿入する。ポート拡張アダプタ１０２は、ＵＳＢｔｙｐｅ−Ｃケーブル１０４が上になるように収納部に挿入される。
【００３１】
上部保持部１６の開放部を介して収納部に挿入されたポート拡張アダプタ１０２の下部が下部保持部１８の底板４４に当接すると、ポート拡張アダプタ１０２は前板４６と基板１４で挟まれた状態で、上部保持部１６と下部保持部１８とによりホルダ１０に確実に保持される。
【００３２】
ポート拡張アダプタ１０２がホルダ１０に保持されたら、ＵＳＢｔｙｐｅ−Ｃケーブル１０４をモバイルＰＣ１００のＵＳＢｔｙｐｅ−Ｃコネクタ１１２に差し込み、ポート拡張アダプタ１０２とモバイルＰＣ１００とを接続させる。さらに、ポート拡張アダプタ１０２のＨＤＭＩコネクタ１１４とディスプレイ１２の背面に設けられたＨＤＭＩコネクタ１１８とをＨＤＭＩケーブル１１６を介して接続し、モバイルＰＣ１００をディスプレイ１２に接続させる。この状態を図４に示す。
【００３３】
以上説明したように、第１実施形態によれば、モバイルＰＣ１００とその付属品であるポート拡張アダプタ１０２をディスプレイ１２に取り付けることができるホルダ１０が提供される。ポート拡張アダプタ１０２はディスプレイ１２の背面とモバイルＰＣ１００の裏面とにより前後から挟まれるので、ホルダ１０のポート拡張アダプタ１０２の収納部は前後方向に関して保持する機構は上部保持部１６と下部保持部１８とガイド板３４のみでよいので、構成が簡単である。モバイルＰＣ１００はホルダ１０の内側からねじ止めされホルダ１０に固定されるので、ホルダ１０からモバイルＰＣ１０を容易に取り外しにくい構造としている。これにより、小型モバイルＰＣ１００が取り外され盗難されたりすること等からの一定の抑止効果が期待できる。
【００３４】
ポート拡張アダプタ１０２は、ホルダ１０にねじにより固定されておらず、上部保持部１６、下部保持部１８、及びガイド板３４により規定される空間内に収納されているだけであるので、ホルダ１０から容易に取り外すことができ、本モバイルＰＣ１００を使用しない時にポート拡張アダプタ１０２を他の機器に接続して使用することができる。あるいは、アプリケーションプログラムにより画面にソフトウェアキーボードを表示させる場合、不要なポート拡張アダプタ１０２を取り外すことができる。
【００３５】
（第２実施形態）  
図５〜図９を参照して第２実施形態のホルダを説明する。図５は第２実施形態のホルダを用いてモバイルＰＣとアダプタをディスプレイに取り付ける態様の一例を示す分解斜視図である。図６はモバイルＰＣが取り付けられる第１ホルダ部の一例をディスプレイ側から見た背面図である。図７は第１ホルダ部の一例の側面図である。図８は第１ホルダ部が第２ホルダ部に取り付けられた状態の一例をディスプレイ側から見た斜視図である。図９は第２実施形態のホルダを用いてモバイルＰＣとアダプタがディスプレイに取り付けられた状態の一例を示す斜視図である。
【００３６】
図５に示すように、第２実施形態のホルダ２０２は第１実施形態のホルダ１０（第２実施形態では第１ホルダ部１０Ａと称する）と第２ホルダ部５０とを備える。第２ホルダ部５０はモバイルＰＣ１００を着脱自在に収納するためのものであり、第１ホルダ部１０Ａの正面側に着脱自在に取り付けられる。第２実施形態の第１ホルダ部１０Ａは第１実施形態のホルダと同じでもよいが、連結板３８のねじ通し孔４２と前板４６のねじ通し孔４８は使わないので、省略してもよい。また、第１実施形態のホルダ１０では使用されない係合片４７は、第２実施形態では第２ホルダ部５０を第１ホルダ部１０Ａに着脱自在に取り付けために使われる。
【００３７】
図６、図７、図８に示すように、第２ホルダ部５０は保持板５２と、保持板５２の下部に設けられた左右一対の支持腕５４及び保持板５２の下部から前方に突出した底板５６とを備えている。保持板５２と支持腕５４と底板５６は一体形成される。保持板５２は、概ね平板状でほぼ四角形の外形を有し、中央部分に窓部５８が設けられている。
【００３８】
図６、図７、図８に示すように、第２ホルダ部５０の裏面５３の上部には、側面視で鉤状の第１係合部６０が設けられている。第１係合部６０は、保持板５２の上部で裏面側に延びる上板６２と、上板６２の後端に設けられ下方に延びる下板６４とを有し、これにより鉤状を形成している。下板６４と保持板５２との間隔は、第１ホルダ部１０Ａに設けられている連結板３８の前後方向の厚みに対応している。
【００３９】
窓部５８は、保持板５２の左右方向の中央部の上下方向の上部に形成されている。窓部５８の上部左右両側には所定の高さのガイド板６６が設けられている。ガイド板６６は、保持板５２の裏面５３にほぼ垂直に設けられ、背面視で下方に広がるように湾曲している。ガイド板６６の上端の左右の間隔ａ１は、第１ホルダ部１０Ａの連結板３８の左右の幅に対応している。
【００４０】
窓部５８の下方には、ねじ部押さえ６８が設けられている。ねじ部押さえ６８は、第１ホルダ部１０Ａの前板４６に設けられたねじ通し孔４８を中心とするねじ部４９に対応して形成されている。
【００４１】
ねじ部押さえ６８の下方に第２係合部７０が設けられている。第２係合部７０は、中央に隙間を開けて左右に対向して設けられる２つの縦片７２により形成される。縦片７２の間の間隙は第１ホルダ部１０Ａの下部保持部１８の前板４６に形成された係合片４７（図２参照）に対応して設けられている。
【００４２】
係合片４７は、図２に示すように、前板４６の左右方向の中央位置に縦方向に設けられている。また、係合片４７は、上部と下部とで横幅が異なり、上部の横幅が第２係合部７０の縦片７２の間隙の幅より若干狭く、下部の横幅が第２係合部７０の横幅より狭く、かつ縦片７２の間隙の幅より広く形成されている。さらに、係合片４７は、前後方向の厚みが第２係合部７０の縦片７２と保持板５２との前後方向の間隔より若干薄く形成されている。
【００４３】
第２ホルダ部５０の支持腕５４は保持板５２の左右にモバイルＰＣ１００の横幅に対応した間隔で設けられる。支持腕５４は保持板５２から前方に延び、内側に屈曲した押さえ部７４が先端に形成されている。押さえ部７４はモバイルＰＣ１００の厚みに対応した所定の高さを有する。これにより、左右の支持腕５４の間に配置したモバイルＰＣ１００が支持腕５４に支持される。
【００４４】
底板５６は保持板５２の下端から前方に向かって所定長さ延びている。左右の支持腕５４の間の空間に収納されたモバイルＰＣ１００の下面が底板５６に当接し、モバイルＰＣ１００は下方から底板５６により支持される。
【００４５】
次に、第２実施形態のホルダ２０２を用いて、モバイルＰＣ１００とポート拡張アダプタ１０２をディスプレイ１２に取り付ける手順の一例について説明する。先ず、図５、図９に示すように、第１ホルダ部１０Ａを雄ねじ１５によりディスプレイ１２の裏面１３のＶＥＳＡマウント部２９に固定する。第１ホルダ部１０Ａをディスプレイ１２に固定した後、第２ホルダ部５０の第１係合部６０を第１ホルダ部１０Ａの連結板３８の上部に掛け、同時に第２係合部７０を第１ホルダ部１０Ａの係合片４７に嵌める。これにより、第２ホルダ部５０が第１ホルダ部１０Ａに装着される。この後、モバイルＰＣ１００を第２ホルダ部５０に装着し、ポート拡張アダプタ１０２を第１ホルダ部１０Ａに挿入する。これにより、ポート拡張アダプタ１０２とモバイルＰＣ１００がホルダ２０２によりディスプレイ１２に取り付けられる。なお、第２ホルダ部５０を上にずらし、第２係合部７０と係合片４７との係合を解除することにより第２ホルダ部５０を第１ホルダ部１０から取り外すことができる。
【００４６】
以上説明したように、第２実施形態によっても、モバイルＰＣ１００とその付属品であるポート拡張アダプタ１０２をディスプレイ１２に取り付けることができるホルダ２０２が提供される。ポート拡張アダプタ１０２は、第１ホルダ部１０Ａから容易に取り外すことができ、本モバイルＰＣ１００を使用しない時にポート拡張アダプタ１０２を他の機器に接続して使用することができる。
【００４７】
さらに、ホルダ２０２はポート拡張アダプタ１０２を収納する第１ホルダ部１０ＡとモバイルＰＣ１００を収納する第２ホルダ５０とが別体であり、第１ホルダ部１０Ａのみをディスプレイに取り付けることができる。そのため、第１実施形態ではモバイルＰＣ１００の横幅がＶＥＳＡ規格のサイズより大きい場合、モバイルＰＣ１００の存在によりネジ１５をねじ通し孔２６に通すことができない。しかし、第２実施形態によれば、モバイルＰＣ１００の横幅がＶＥＳＡ規格のサイズより大きくても、第１ホルダ部１０Ａのみをディスプレイに取り付けることができるので、横幅の大きいモバイルＰＣ１００でも取り付け可能である。第１実施形態ではモバイルＰＣ１００はねじによりホルダ１０に固定されるが、第２実施形態ではモバイルＰＣ１００は第２ホルダ部５０に対して着脱自在に収納される。そのため、１つのディスプレイに取り付けられたホルダ２０２からモバイルＰＣ１００を外して、他の用途に使用することができる。さらに、ディスプレイの台数よりもモバイルＰＣの台数が少ない場合、使用していないディスプレイに取り付けられているホルダ２０２の第１ホルダ部１０Ａから第２ホルダ部５０ごとモバイルＰＣ１００を外して、他のディスプレイに取り付けられたホルダ２０２の第１ホルダ部１０Ａに装着させることもできる。これにより、１台のモバイルＰＣ１０２を複数のディスプレイ１２に対して兼用させることができる。
【００４８】
なお、第１係合部６０と第２係合部７０により第２ホルダ部５０を第１ホルダ１０部に対して上下方向で係合させたが、第１係合部６０と第２係合部７０の係合の仕方はこれに限られるものではなく、第２ホルダ部５０を左右方向で第１ホルダ１０部に係合させるようにしてもよい。
【００４９】
第２実施形態では、モバイルＰＣ１００は第２ホルダ部５０に着脱自在に装着され、第１実施形態のように雄ねじ４０（図１参照）により第１ホルダ部１０Ａに取り付けられるのではないので、モバイルＰＣ１００に雌ねじを設ける必要がない。
【００５０】
（応用例）  
第１、第２実施形態はフラットタイプのＶＥＳＡマウントを例にとり説明したが、ＶＥＳＡマウントの種類には、ディスプレイの背面から盛り上がっている凸部に形成されるレイズドタイプやディスプレイの背面から凹んでいる凹部に形成されるリセスタイプもある。図１０は第２実施形態のホルダ２０２をリセスタイプのＶＥＳＡマウントを有するディスプレイ１２Ａに取り付ける態様の一例を示す。ディスプレイ１２Ａの裏面１３の中央に凹部２１が設けられ、凹部２１の底面にリセスタイプのＶＥＳＡマウント部２９Ａが設けられている。ホルダ２０２をＶＥＳＡマウント部２９Ａに取り付ける際、第２実施形態で使われた雌ねじ３１の代わりに脚付き雌ねじ３１Ａが用いられる。
【００５１】
脚付き雌ねじ３１Ａは、凹部２１の深さと等しい長さの脚を有し、脚付き雌ねじ３１ＡをＶＥＳＡマウント部２９Ａの雌ねじ３０に螺合させると、脚付き雌ねじ３１Ａの雌ねじの頂面の高さがディスプレイ１２の凹部２１以外の裏面１３の高さと同一になる。このような脚付き雌ねじ３１Ａを用いることにより、リセスタイプのＶＥＳＡマウントを有するディスプレイ１２Ａに対しても第２実施形態のホルダ２０２を取り付けることができる。なお、第２実施形態に限らず、第１実施形態のホルダ１０も同様にリセスタイプのＶＥＳＡマウントを有するディスプレイ１２Ａに対して取り付け可能である。
【００５２】
レイズドタイプのＶＥＳＡマウントを有するディスプレイに対するホルダの取り付け方は図１〜図９を参照して説明した第１、第２実施形態の取り付け方と同じであるので、詳細な説明は省略する。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
１０…ホルダ、１２…ディスプレイ、１４…基板、１５、４０…雄ねじ、１６…上部保持部、１８…下部保持部、２０…舌片、２６、２８…ねじ通し孔、３０、３２…雌ねじ、３４…ガイド板、３６…腕部、３８…連結板、４２、４８…ねじ通し孔、４４…底板、４６…前板、４７…係合片、１０Ａ…第１ホルダ部、５０…第２ホルダ部、１００…モバイルＰＣ、１０２…ポート拡張アダプタ。
【図１】
2019109667.tif 000003
【図２】
2019109667.tif 000004
【図３】
2019109667.tif 000005
【図４】
2019109667.tif 000006
【図５】
2019109667.tif 000007
【図６】
2019109667.tif 000008
【図７】
2019109667.tif 000009
【図８】
2019109667.tif 000010
【図９】
2019109667.tif 000011
【図１０】
2019109667.tif 000012